(57)【要約】【課題】投影機の画像の縦横の変更を投影機の仕様条件の点灯姿勢で使用できる投影機映像処理装置を提供する。【解決手段】投影機１から投射された画像５ａを９０度回転させる画像回転手段を備え、画像回転手段は、投影機１から投射された画像５ａを垂直上方に偏向させるように該投影機１の正面側に配設された第１の反射板２と、第１の反射板２で反射された画像を水平方向でかつ投影機１の画像進行方向と直角方向に偏向させるように第１の反射板２の上方に配設された第２の反射板３とからなる。【選択図】      図１
2005024573.tif 000002
【特許請求の範囲】
【請求項１】
投影機から投射された画像を回転させる画像回転手段を備えたことを特徴とする投影機映像処理装置。
【請求項２】
前記画像回転手段は、投影機から投射された画像を垂直に偏向させるように該投影機の正面側に配設された第１の反射部と、この第１の反射部で反射された画像を水平方向でかつ前記投影機の画像進行方向と直角方向に偏向させるように前記第１の反射部の上方に配設された第２の反射部とからなることを特徴とする請求項１記載の投影機映像処理装置。
【請求項３】
前記第１の反射部は、投影機から投射された画像を垂直に偏向させる第１の姿勢と、水平に偏向させる第２の姿勢とを選択的に切り替え可能に設けられていることを特徴とする請求項２記載の投影機映像処理装置。
【請求項４】
前記第１及び第２の反射部は、それぞれ反射板よりなることを特徴とする請求項２記載の投影機映像処理装置。
【請求項５】
前記第１及び第２の反射部は、プリズムよりなることを特徴とする請求項２記載の投影機映像処理装置。
【発明の詳細な説明】
【０００１】
【発明の属する技術分野】
本発明は、投影機の画像を回転させて映し出す投影機映像処理装置に関する。
【０００２】
【従来の技術】
プロジェクター等の投影機は、一般に横長の画像を映し出すようになっている。このように、横長の画像を縦長に映し出すことができれば、ポスター的な感覚となり好ましい。
【０００３】
【発明が解決しようとする課題】
従来の投影機で、例えば横長の画像を縦長に映し出す場合、投影機自体を９０度回転させる必要があった。本来、光源を活用した投影機は、予め決められた点灯姿勢で使用する様に設計されている。投影機を仕様条件以外の点灯姿勢で使用すると、内部装置の破損を招くことになる。
【０００４】
本発明の第１課題は、投影機の画像の縦横の変更を投影機の仕様条件の点灯姿勢で使用できる投影機映像処理装置を提供することにある。
【０００５】
本発明の第２の課題は、投影機の画像を縦横に変更できると共に、縦横に変更しないでも、投影機の仕様条件の点灯姿勢で使用できる投影機映像処理装置を提供することにある。
【０００６】
【課題を解決するための手段】
上記第１の課題を解決するための本発明の請求項１は、投影機から投射された画像を回転させる画像回転手段を備えたことを特徴とする。
【０００７】
上記第１の課題を解決するための本発明の請求項２は、上記請求項１において、前記画像回転手段は、投影機から投射された画像を垂直に偏向させるように該投影機の正面側に配設された第１の反射部と、この第１の反射部で反射された画像を水平方向でかつ前記投影機の画像進行方向と直角方向に偏向させるように前記第１の反射部の上方に配設された第２の反射部とからなることを特徴とする。
【０００８】
上記第１及び第２の課題を解決するための本発明の請求項３は、上記請求項２において、前記第１の反射部は、投影機から投射された画像を垂直に偏向させる第１の姿勢と、水平に偏向させる第２の姿勢とを選択的に切り替え可能に設けられていることを特徴とする。
【０００９】
上記第１の課題を解決するための本発明の請求項４は、上記請求項２において、前記第１及び第２の反射部は、それぞれ反射板よりなることを特徴とする。
【００１０】
上記第１の課題を解決するための本発明の請求項５は、上記請求項２において、前記第１及び第２の反射部は、プリズムよりなることを特徴とする。
【００１１】
【発明の実施の形態】
本発明の一実施の形態を図１乃至図３により説明する。プロジェクター等よりなる投影機１の正面側には、該投影機１の画像を垂直上方に偏向するようにミラー等よりなる第１の反射板２が傾斜して配設されている。従って、投影機１の画像進行方向１ａは、第１の反射板２によって反射されて垂直画像方向２ａとなる。第１の反射板２の上方には、該第１の反射板２で反射された画像を水平方向でかつ投影機１の画像進行方向１ａと直角方向に偏向させるようにミラー等よりなる第２の反射板３が傾斜して配設されている。従って、第１の反射板２による垂直画像方向２ａは、第２の反射板３によって反射されて水平画像方向３ａとなる。水平画像方向３ａには、画像を映し出すスクリーン４が配設されている。従って、スクリーン４の画面に対して投影機１の画像進行方向１ａが平行になるように投影機１を仕様条件の点灯姿勢で設置して使用する。
【００１２】
そこで、投影機１から投射された横向きの画像５ａは、第１の反射板２で反射されて上下反転し、更に第２の反射板３で姿勢が９０度偏向されると共に、左右反転させられて縦向きの画像５ｂとなってスクリーン４に映し出される。即ち、画像５ａが横長であると、この画像５ａは９０度回転されて縦長の画像５ｂとなる。このように、投影機１から投射された画像５ａを９０度回転して投影することができるので、投影機１の本来の使用状態で使用でき、該投影機１に負担をかけない。これにより、例えば、投影機１から投射された横長の画像５ａをポスターのように縦長の画像５ｂとして容易に映し出すことができる。
【００１３】
本発明の他の実施の形態を図４乃至図６により説明する。なお、前記実施の形態と同じ又は相当部材には同一符号を付し、その詳細な説明は省略する。本実施の形態の第１の反射板２は、２つの姿勢を採ることができるようになっている。
即ち、第１の反射板２は、図１乃至図３に示すように、投影機１の画像５ａを垂直上方に偏向して第２の反射板３に投射することができる第１の姿勢と、図４乃至図６に示すように、投影機１の画像５ａを水平方向で、かつ第２の反射板３による水平画像方向３ａ（図３参照）と同方向（水平画像方向）２ｂに反射させる第２の姿勢に、図示しない切り替え手段で切り替えることができるようになっている。
【００１４】
そこで、第１の反射板２を図１乃至図３の第１の姿勢で使用すると、前記実施の形態で説明したように、投影機１から投射された横長の画像５ａを縦長の画像５ｂとしてスクリーン４に映し出すことができる。また第１の反射板２を図４乃至図６の第２の姿勢で使用すると、投影機１から投射された横長の画像５ａは、第１の反射板２で反射された横長のままの画像５ｃとして水平画像方向２ｂに投射されてスクリーン４に映し出される。
【００１５】
投影機１から投射された横長の画像５ａを縦長の画像５ｂにする場合のみでなく、横長の画像５ａをそのまま横長の画像５ｃとして映写したい場合がある。本実施の形態は、このような場合に非常に効果的である。
【００１６】
なお、上記各実施の形態は、第１及び第２の反射部として、ミラー等よりなる第１及び第２の反射板２、３を用いた場合について説明したが、第１及び第２の反射部を１個又は２個のプリズムによって形成してもよい。また上記実施の形態においては、投影機１から投射された画像５ａを９０度回転して投影する場合について説明したが、これに限定されるものではなく、例えば６０度回転して投影するようにしてもよい。
【００１７】
【発明の効果】
本発明は、投影機から投射された画像を回転させる画像回転手段を備えた構成よりなるので、投影機の画像の縦横の変更を投影機の仕様条件の点灯姿勢で使用できる。
【図面の簡単な説明】
【図１】本発明の投影機映像処理装置の一実施の形態を示す斜視説明図である。
【図２】図１の側面説明図である。
【図３】図１の正面説明図である。
【図４】本発明の投影機映像処理装置の他の実施の形態の他の使用態様を示す斜視説明図である。
【図５】図４の側面説明図である。
【図６】図４の正面説明図である。
【符号の説明】
１    投影機
１ａ    画像進行方向
２    第１の反射板
２ａ    垂直画像方向
２ｂ    水平画像方向
３    第２の反射板
３ａ    水平画像方向
４    スクリーン
５ａ、５ｂ、５ｃ    画像
【図１】
2005024573.tif 000003
【図２】
2005024573.tif 000004
【図３】
2005024573.tif 000005
【図４】
2005024573.tif 000006
【図５】
2005024573.tif 000007
【図６】
2005024573.tif 000008